(57)【特許請求の範囲】
【請求項１】
吐水口と、該吐水口への流量を調節する流量調節弁装置と、該流量調節弁装置を操作する操作部と、を備えるとともに、ホースを介して接続される水栓本体の操作ハンドルの操作によって吐止水が可能な吐水具において、
前記流量調節弁装置には、
弁体が嵌合可能な複数以上の嵌合穴が具備され、該嵌合穴の２つ以上にそれぞれ穿設された透孔、または、該嵌合穴の２つ以上にまたがって穿設された透孔が備えられ、
前記流量調節弁装置が、該透孔の一部が常時開口されていることにより止水機能を有さないものとして構成されていることを特徴とする吐水具。
【請求項２】
前記嵌合穴の２つ以上にそれぞれ穿設された前記透孔のそれぞれの開口面積が異なることを特徴とする請求項１に記載の吐水具。
【請求項３】
キッチンや洗面台に設けられることを特徴とする請求項１または請求項２に記載の吐水具。
【請求項４】
流量の調節が段階的に行われることを特徴とする請求項１ないし請求項３のいずれかに記載の吐水具。
【発明の詳細な説明】
【０００１】
【発明の属する技術分野】
本各発明は、湯や水（以下、単に湯水という）を吐水させるために湯水混合栓等の給水栓に設けられる吐水具に関し、詳しくは、吐水口と、該吐水口への流量を調節する流量調節弁装置と、該流量調節弁装置を操作する操作部と、を備えた吐水具に関する。
【０００２】
【従来の技術】
吐水具としては、浴室の給水栓にホースを介して接続されたシャワーヘッド、キッチンや洗面台の給水栓にホースを介して接続されると共に水栓本体に引き出し自在に保持されたシャワーヘッド、給水栓の吐水管先端に一体的に固設されて吐水口を構成するもの等、種々のものがある。これらの吐水具の中には、弁装置とこの弁装置を操作する操作部とを備えたものがある。例えば、浴室のシャワーヘッド等の吐水具で、弁装置として止水弁を採用し、吐水具側の操作部により吐止水操作を行うことができるようにしたものや、キッチンや洗面台の給水栓に設けられた吐水具で、弁装置として流路の切換弁を採用し、内部の流路を切り換えることで形態の異なる吐水口から吐水を行わせて吐水形態をストレート吐水又はシャワー吐水に切り換えることができるようにしたもの等である。
【０００３】
【発明が解決しようとする課題】
しかしながら、従来の吐水具にあっては、それ自体に設けられた操作部により吐止水を行ったり、流路の切り換えを行うことができるものの、吐水量の調節を行うことを前提としたものではなく、一般に、吐水量の調節を行うことができるものではなかった。よって、吐水量を的確に調節するためには、水栓本体側の操作部による操作を余儀なくされ、利便性に劣るものであった。
【０００４】
尚、止水弁を備えた吐水具としては、コック等の流量調節可能な弁装置を採用したものがあり、この吐水具では、吐水量の調節も可能である。しかしながら、このような止水弁を備えた吐水具は、そもそも、吐止水の操作、即ち、完全吐水又は完全止水の何れかの操作、を行うことを前提としたものであるため、その中間の操作形態である吐水量の調節操作がし難く、吐水量の調節については使用勝手に劣るものであった。しかも、止水がなされるものであるため、吐水具本体や弁装置として、止水時の高水圧に耐え得るように、複雑で堅固な構造とせざるを得ず、構造の簡略化を図ることが困難であった。また、構成部材の材質としては、耐圧性、耐腐食性に優れる銅合金等の金属を採用せざるを得ず、安価で量産性に優れる樹脂等への材質の転換を図ることも困難であった。
【０００５】
一方、切換弁を備えた吐水具は、異なる吐水口からの吐水を行うものであるため、吐水口の変更に伴って吐水量を実質的に変更することができると考えられる。しかしながら、このような吐水具は、そもそも、用途によって、吐水がなされる吐水口を切り換えて吐水形態をストレート吐水やシャワー吐水等に変更するものであり、吐水量の調節のために吐水形態を変更してしまうと、当然、用途に応じた吐水形態を得ることができなくなり、使用に不便を来す。よって、このような切換弁を備えた吐水具は、吐水口を変更することで吐水量の調節が可能であると考えられても、吐水量の調節に関して現実的な使用に適するものではなかった。
【０００６】
本各発明は、上記した従来技術の課題を解決するものであり、その目的とするところは、利便性に優れ、しかも、構造の簡略化及び樹脂等への材質の転換を容易に図ることができる吐水具を提供することである。特に、上記目的に加え、請求項３の発明では、水跳ねの防止や、対象物に応じた吐水量調節が要望されるキッチンや洗面台の吐水具として、上記要望を十分に満足させることを目的とし、請求項４の発明では、吐水量調節の操作の簡便性及び確実性を向上させることを目的とする。
【０００７】
【課題を解決するための手段】
以上の課題を解決するために本各発明の採った手段を、各発明ごとに以下に説明する。
【０００８】
請求項１の発明は、「吐水口と、該吐水口への流量を調節する流量調節弁装置と、該流量調節弁装置を操作する操作部と、を備えるとともに、ホースを介して接続される水栓本体の操作ハンドルの操作によって吐止水が可能な吐水具において、前記流量調節弁装置には、弁体が嵌合可能な複数以上の嵌合穴が具備され、該嵌合穴の２つ以上にそれぞれ穿設された透孔、または、該嵌合穴の２つ以上にまたがって穿設された透孔が備えられ、前記流量調節弁装置が、該透孔の一部が常時開口されていることにより止水機能を有さないものとして構成されていることを特徴とする吐水具」である。
【０００９】
ここで「吐水具」とは、湯水を吐水させるためのものであり、吐水口を有し、吐止水を制御する弁装置よりも２次側に配設されたものをいうが、浴室のシャワーヘッドやキッチンの給水栓に引き出し自在に保持されるシャワーヘッド等のような水栓本体とは別体的なものに限らず、水栓本体に固設された吐水管の先端部分に吐水口を形成するもの等のような水栓本体と一体的なものであってもよい。
【００１０】
また、「止水機能を有さないものとして構成する」ためには、例えば、流量調節弁装置として、弁口が弁体により完全には閉止されない構造のものを採用すればよい。他にも、弁口が閉止された状態でも流量調節弁機構の一次側から二次側へと通水がなされるように逃がし流路を設けてもよい。この場合の「流量調節弁装置」は、上記逃がし流路を含む構造となる。
【００１１】
請求項１の発明に係る吐水具では、吐水具自体に設けられた操作部の操作により吐水量の調節が可能であり、利便性に優れる。また、吐水口への流量を調節することで吐水量が調節されるため、同一の吐水口からの同一の吐水形態のままで、その吐水量を調節することができ、使用に際して支障を来すことはない。
【００１２】
一方、流量調節弁装置を止水機能を有さないものとして構成することで、吐水具自体を止水時の高水圧に抗することが可能な耐圧構造とする必要がないので、その構造を複雑なものとする必要がなく、金属製とするのみならず樹脂などの材質から形成することもできる。さらに、操作部の下限の操作によっても止水はなされないことになるから、最少の吐水量としたい場合には、操作部を下限いっぱいに操作するといった簡単な操作により最少の吐水量に調節できるため、この点でも、利便性に優れる。また、請求項２の発明は、「前記嵌合穴の２つ以上にそれぞれ穿設された前記透孔のそれぞれの開口面積が異なることを特徴とする請求項１に記載の吐水具」である。
【００１５】
請求項１の発明に係る吐水具を手持ち式のものとすると、吐水具自体を水栓本体とは別体のものとして取り扱うことができ、利便性が向上する。しかも、吐水具を手持ち式とすると、水栓本体から遠く離して吐水具を使用することも考えられる。このような場合に、水栓本体側の操作部によらず、吐水具側にて適宜、吐水量の調節が可能であれば、非常に便利であり、手持ち式の吐水具としての用途も広がる。さらに、吐水具自体の構造を簡略し、材質として樹脂等を採用できることから、吐水具としてのコンパクト化、軽量化を図ることができる。このように吐水具自体をコンパクト化、軽量化することで、取り回しをし易くし、手持ち式の吐水具としての利便性を、より一層向上させることも容易である。
【００１６】
尚、このように手持ち式の吐水具とした場合には、吐水具を持った手で操作可能な部位に操作部を設けると、片側の手で吐水具の保持及び吐水量調節の操作が可能となり、利便性のより一層の向上を図ることができる。また、吐水口の近傍に操作部を設ければ、目視による吐水状態の確認と操作部の確認とを、大きな視線の移動を伴わずに成し得るため、実際の吐水量を確認しつつ吐水量を調節することが容易となる。
【００１７】
請求項３の発明は、「キッチンや洗面台に設けられることを特徴とする請求項１または請求項２に記載の吐水具」である。
【００１８】
例えば、浴室のシャワーヘッド等の吐水具にあっては、そもそも、湯水を浴びるために使用するものであることから、水跳ねを気にする必要はないが、キッチンや洗面台の吐水具にあっては、シンクや洗面ボウル外への水跳ねを防止する必要がある。また、キッチンや洗面台では、食器等の種々の機器（以下、対象物という）の洗浄を予定しているため、対象物に応じて吐水量を設定する必要もある。
【００１９】
そこで、請求項１又は請求項２の発明に係る吐水具を、キッチンや洗面台の吐水具として適用すると、水跳ねを防止したり、対象物に応じた吐水量とするために、水栓本体側の操作部によらず、吐水具側の操作部により頻繁に吐水量を調節することが可能となり、上記要望を満足させることができる。手持ち式の吐水具である場合には、特に有効である。即ち、対象物の洗浄に際して、一方の手で対象物を保持しつつ他方の手で吐水具を保持したり、洗髪等に際して、一方の手で髪を洗いつつ他方の手で吐水具を保持する場合には、水栓本体側の操作部にて吐水量の調節を行おうとすると、何れか一方の手を開放しなければならないが、吐水具側の操作部にて吐水量の調節が可能であれば、吐水具を保持した側の手でこの操作を行うことができるからである。
【００２０】
請求項４の発明は、「流量の調節が段階的に行われることを特徴とする請求項１ないし請求項３のいずれかに記載の吐水具」である。
【００２１】
流量の調節を連続的に行うこととすると、操作部を緻密に操作してより細かく流量を調節することが可能ではあるが、一方で適正な流量に迅速に調節することが困難である。特に、吐水具が手持ち式である場合に、吐水具を手で保持して使用しながら、その手で操作部を迅速にしかも緻密に操作するには困難が伴う。そこで、流量の調節が段階的に行われることとすると、操作部を乱雑に操作しても所望の流量に調節し易くなる。
【００２２】
尚、「流量の調節を段階的に行う」ための構造は、特に限定されるものではないが、流量調節弁装置の弁機構の構造として、弁口の開口度合いが段階的に変更されるような構造を採用することが例示できる。また、他にも、弁口の開口度合いを連続的に変更可能とする一方で、操作部の構造として、連続的ではなく段階的な操作がなされる構造とし、操作部の段階的な操作により流量の調節が段階的に行われるようにすることも例示できる。
【００２６】
一定の給水圧力下での湯水の流量は、流路の形態や湯水自体の粘性等による圧力損失を無視すると、流路の面積に比例して増減する。よって、吐水具からの吐水量は、流量調節弁装置により調節された流路の開口面積に比例して増減すると考えられる。しかしながら、吐水具は、流路の端末に吐水口を有するものであるから、この吐水口の開口面積以上に流路の開口面積を大きくした場合には、吐水量は、流路の開口面積に拘わらず増加しなくなる。図１１のグラフに示すように、流路の開口面積が吐水口の開口面積Ｓ０よりも小さい範囲では、吐水量は、流路の開口面積の増加に伴って、図示直線ａのように比例的に増加するが、流路の開口面積が吐水口の開口面積Ｓ０以上となると、吐水量は吐水口の開口面積Ｓ０により決定されてしまい、図示直線ｂのように一定となってしまうからである。
【００２７】
ここで、図１１のグラフのように、最少流量調節時における流路の開口面積Ｓ１を吐水口の開口面積Ｓ０よりも大きく設定すると、最多流量調節時における流路の開口面積Ｓ２まで流路の開口度合いを調節したとしても、吐水量は吐水口の開口面積Ｓ０により決定された吐水量Ｑ０のまま一定であり、吐水量の調節ができなくなる。
【００２８】
そこで、図１２のグラフのように、最少流量調節時の流路の開口面積Ｓ１を、吐水口の開口面積Ｓ０よりも小さく設定すると、最少流量調節時の流路の開口面積Ｓ１での吐水量Ｑ１から吐水口の開口面積Ｓ０での吐水量Ｑ０の間において、吐水量の調節が可能となり、効果的に吐水量の調節を行うことができる。尚、最多流量調節時の開口面積Ｓ２を、図１２に示すように吐水口の開口面積Ｓ０と略等しくするか、若しくは吐水口の開口面積Ｓ０以下とすると、最少流量調節時の流路の開口面積Ｓ１から最多流量調節時の流路の開口面積Ｓ２の範囲、即ち、吐水量Ｑ１から吐水量Ｑ２の範囲、で吐水量の調節が可能となり、より効果的に吐水量の調節を行うことができ、好適である。また、実際には、湯水が吐水口まで到達する間に圧力損失等があるため、最多流量調節時の流路の開口面積Ｓ２を、吐水口の開口面積Ｓ０の１．５倍程度大きくしたとしても、最少流量調節時の流路の開口面積Ｓ１から最多流量調節時の流路の開口面積Ｓ２までの範囲での吐水量の調節は可能であるが、好ましくは、最多流量調節時の流路の開口面積Ｓ２を、吐水口の開口面積Ｓ０の１．２倍程度までとするのがよい。
【００２９】
【発明の実施の形態】
次に、本各発明に係る吐水具の実施の形態を、図面に基づいて詳細に説明する。
【００３０】
図１に、請求項１から請求項４の各発明を適用した吐水具１０を示す。吐水具１０は、請求項３の発明の如く、キッチンや洗面台の天板に設置された給水栓４に設けられており、水栓本体３に取り付けられた操作ハンドル５により温度・水量を調節された湯水をその吐水口１２から吐水するものである。また、吐水具１０は、ホース１１を介して水栓本体３に接続されており、給水栓４の収容部６に引き出し自在に保持されている。この吐水具１０は、保持された状態では、給水栓４の吐水管先端に吐水口１２を形成する一方、引き出された状態では、手持ち式の吐水具１０としての機能を果たす。尚、吐水具１０の本体を構成する部材や内部の機器を構成する部材等の材質として、ＡＢＳ樹脂やＰＯＭ樹脂等の樹脂が採用されている。
【００３１】
吐水具１０の先端部分の下部には、散水板１６が取着されており、この散水板１６には、吐水口１２を構成する多数の散水孔１４が穿設されている。また、吐水具１０の先端には、操作部１８が設けられており、この操作部１８により、吐水具１０に内蔵された流量調節弁装置２０が操作されて吐水量が調節される。この操作部１８は、図２に示すように、揺動する押し釦式のものであり、釦部１９の揺動（図２の矢印ａ）により後述する流量調節弁装置２０の弁体としてのボール弁２２を移動（図２の矢印ｂ）させる公知のものである。
【００３２】
流量調節弁装置２０は、請求項４の発明の如く、流量の調節を段階的に行うものであり、本例では、３段階にて行うものを採用している。この流量調節弁装置２０を図３及び図４に示す。流量調節弁装置２０は、ボール弁２２と弁座２４とを備えている。そして、ボール弁２２は、コイルスプリング（図示省略）などの付勢手段により弁座２４に付勢され、前述した操作部１８により弁座２４上を移動可能に設けられている。
【００３３】
一方、弁座２４は、略長円筒形状に形成され、その長手方向に沿って３つの嵌合穴２６，２７，２８を具備している。そして、このうち一側の嵌合穴２６には大径の透孔２９が、中央の嵌合穴２７には小径の透孔３０が、それぞれ穿設されているのであるが、他側の嵌合穴２８には何らの透孔も穿設されていない。上記透孔２９，３０は、いずれも上述した散水孔１４に連通し、湯水を散水孔１４より吐水させる流路を構成する。また、各嵌合穴２６，２７，２８は、透孔２９，３０が形成された部分を除いて同形状に形成されており、ボール弁２２の嵌合状態をそれぞれの嵌合穴２６，２７，２８の位置において均一にして、操作部１８の操作感を均一にすると共に、一定以上の操作力を加えなければボール弁２２が各位置から他の位置に無用に移動しないものとなっている。
【００３４】
図３（ａ）乃至（ｃ）に示すように、ボール弁２２が弁座２４の図示上側の嵌合穴２８に位置するときは、透孔２９，３０が開口され、ボール弁２２が図示中央の嵌合穴２７に位置するときは、透孔２９のみが開口され、ボール弁２２が図示下側の嵌合孔２６に位置するときは、透孔３０のみが開口される。この際に、透孔２９よりも透孔３０の方が開口面積が小さいので、吐水量は順次減少することになる。
【００３５】
ここで、上述した散水板１６に穿設された散水孔１４の開口面積の総和は、約４０ｍｍ２とされ、一方、透孔２９の開口面積は約２８ｍｍ２とされ、透孔３０の開口面積は約１２ｍｍ２とされている。上述したようにボール弁２２が弁座２４の各嵌合穴２８，２７，２６に位置する際に開口する透孔２９，３０の開口面積の総和は、順に約４０ｍｍ２、約２８ｍｍ２、約１２ｍｍ２であり、最少流量調節時の開口面積である透孔３０の開口面積は、散水孔１４の開口面積の総和よりも小さくされている。したがって、最少流量調節時には、最少の吐水量に確実に減ずることができる。また、本例においては、最多流量調節時の開口面積が散水孔１４の開口面積の総和と略同一とされている。よって、ボール弁２２が嵌合穴２８から、嵌合穴２７，２６の順に移動する際に、各散水孔１４から吐出される湯水の吐水量を確実に減ずることができる。
【００３６】
本各発明に係る吐水具１０は、上記した実施の形態に限られるものではなく、例えば流量調節弁装置として他の構造のものを適用することができる。これを以下に例示する。
【００３７】
図５及び図６に示す流量調節弁装置３１は、弁座３２に一つの透孔３４を穿設したものである。弁座３２には、ボール弁２２が嵌合する同径の４つの嵌合穴３５，３６，３７，３８が連設されており、透孔３４は、嵌合穴３５内にほぼ収まるように形成された略円形の円孔部３９と、この円孔部３９に連設されると共に嵌合穴３６乃至３８にかけて徐々に幅が狭く形成されたテーパ孔部４０とから構成されている。図５（ａ）及び（ｂ）に示すように、この流量調節弁装置３１においては、ボール弁２２を一側の嵌合穴３８から他側の嵌合穴３５に向けて移動させていくと、透孔３４におけるボール弁２２により閉止されずに開口している部位の面積が４段階に小さくなり、湯水の吐水量を４段階に調節する。
【００３８】
本例においては、４段階に吐水量を調節できるので、より細かく調節が可能である。また、穿設される透孔３４は一つだけなので、製造が簡単である。さらに、単一の透孔３４を流路として利用しつつ吐水量を調節しているので、複数の透孔を利用して吐水量を調節する場合よりも整水された吐水に与える影響が少ない。
【００３９】
尚、請求項４の発明の如く、流量の調節を段階的に行うことが望ましいのであるが、５段階以上の多数段階とすると、連続的に行うことと大差がなくなるばかりか、多段階的に行う機構を備える分だけ構造が複雑化する。よって、２〜４段階に流量の調節を行うことができるようにするのが好ましい。特に緻密な吐水量調節が必要でない場合には、大吐水と小吐水の２段階とするのが好適である。
【００４０】
また、流量調節弁装置としては、ボール弁２２を用いたものに限られない。例えば、図７及び図８に、連通孔４２を備えた遮へい板４１をスライドさせ、弁座４４に開口された透孔４６，４７を閉止・開口して、湯水の吐水量を調節する流量調節弁装置４３を示す。
【００４１】
遮へい板４１は、平面視略扇形状に形成されており、その一側寄りには、連通孔４２が穿設されている。一方、弁座４４は、平面視略長円形状に形成されており、その長手方向の両側付近には、吐水口１２に連通する透孔４６，４７がそれぞれ穿設されている。図７（ａ）に示すように、弁座４４の図示右半分側を覆うように遮へい板４１を位置させると、透孔４６が開口し、透孔４７が連通孔４２と連通して、両透孔４６，４７ともに開口状態となる。一方、図７（ｂ）に示すように、弁座４４の略全体を覆うように遮へい板４１を図示左側にスライドさせると、透孔４６は連通孔４２と連通して開口状態となるが、透孔４７は遮へい板４１に遮られて閉止状態となり、透孔４６のみが開口状態となる。この結果、吐水量は減少する。
【００４２】
次に、連続的な流量調節を行う吐水具の流量調節弁装置５０について図９及び図１０を参照して説明する。
【００４３】
流量調節弁装置５０は、吐水口５１を有し、吐水具に対して回転可能な散水板５２と、この散水板５２と連動して回転する回転板５４と、吐水具に固定された固定板５６とを備え、回転板５４と固定板５６とにそれぞれ設けられた連通孔５５，５７の連通度合いを変更することによって、散水板５２に設けられた吐水口５１への流量を調節するものである。回転板５４には、その周方向に沿って円周の約４分の１に渡って連通孔５５が穿設されている。一方、固定板５７にも連通孔５５と同様の連通孔５７が穿設されている。そして、回転板５４の回転に従って、図９（ａ）に示すように両連通孔５５，５７の連通度合いが最小になる位置から、図９（ｂ）に示すように連通度合いが最大に至るまで、流量を連続的に調節することができる。また、図示は省略するが、回転板５４には突起が設けられるとともに固定板５６には段部が設けられており、この突起が段部に係止可能に設けられている。このように構成することにより、固定板５６に対する回転板５４の一定以上の回転を規制し、両連通孔が完全に閉止状態となることを防止して、最少流量調節時における確実な通水状態を確保している。本例の吐水具では、散水板５２の回転操作により流量調節が行われるものであり、この散水板５２が操作部を構成する。
【００４４】
尚、上記例において、回転板５４側又は固定板５６側の一方に、板バネ、プランジャー等の弾性突起を設け、他方に係合部を設けて、散水板５２の回転操作の一定間隔ごとに弾性突起と係合部とが係合して使用者に節度感が与えられるようにしてもよい。このようにすると、操作部が段階的に操作されることになるため、これにより、請求項４の発明の如く、流量調節を段階的に行う構造とすることができる。
【００４５】
一方、請求項１から請求項４の各発明は、手持ち式の吐水具に限られず、水栓本体に一体形成されたものや別体に形成されて固設されたもの、或いは、昇降自在のスタンドに固設されて吐水高さを自由に設定できるようにしたもの等にも適用可能である。特に、昇降自在のスタンドに固設された吐水具のように、水栓本体からの距離が可変とされる吐水具では、吐水具を水栓本体から離した場合に水栓本体側の操作部を操作し難くなる。そこでこのような吐水具に上記各発明を適用すると、吐水具側の操作部にて吐水量の調節が可能となるため、利便性を向上させることができる。
【００４６】
以上、本各発明に係る吐水具の実施形態の一例を説明したが、他にも、吐水口として、シャワー吐水ではない通常のストレート吐水が可能な形態としたり、止水を行わないようにするために、流量調節弁装置の一次側と二次側との間に漏れが生じるようにしたり、流量調節弁装置の二次側にさらに流路切換弁を設け、流路を切り換えることで吐水口の形態を変更可能として、ストレート吐水やシャワー吐水等の異なる吐水形態に切り換えを行えるようにし、各吐水形態において吐水量の調節も可能とする等、本各発明の要旨を逸脱しない範囲で、適宜の変更を行ってもよい。
【００４７】
【発明の効果】
本各発明は上記のように構成されているので、利便性に優れ、しかも、構造の簡略化及び樹脂等への材質の転換を容易に図ることができる吐水具を提供することができる。
【００４８】
特に、上記効果に加え、請求項３の発明によれば、水跳ねの防止や、対象物に応じた吐水量調節が要望されるキッチンや洗面台の吐水具として、上記要望を十分に満足させることができ、請求項４の発明によれば、吐水量調節の操作の簡便性及び確実性を向上させることができる。
【図面の簡単な説明】
【図１】本各発明に係る吐水具を用いた給水栓の斜視図である。
【図２】吐水具の内部を示す断面平面図である。
【図３】流量調節弁装置の作動状態を示す平面図である。
【図４】図３の流量調節弁装置の分解斜視図である。
【図５】別の流量調節弁装置の作動状態を示す平面図である。
【図６】図５の流量調節弁装置の分解斜視図である。
【図７】さらに別の流量調節弁装置の作動状態を示す平面図である。
【図８】図７の流量調節弁装置の分解斜視図である。
【図９】さらにまた別の流量調節弁装置の作動状態を示す平面図である。
【図１０】図９の流量調節弁装置の及び散水板の分解斜視図である。
【図１１】流路開口面積と吐水量との関係を示すグラフである。
【図１２】流路開口面積と吐水量との関係を示すグラフである。
【符号の説明】
３；水栓本体、４；給水栓、５；操作ハンドル、６；収容部、１０；吐水具、１１；ホース、１２；吐水口、１４；散水孔、１６；散水板、１８；操作部、１９；押し釦、２０；流量調節弁装置、２２；ボール弁、２４；弁座、２６，２７，２８；嵌合穴、２９；透孔、３０；透孔、３１；流量調節弁装置、３２；弁座、３４；透孔、３５，３６，３７，３８；嵌合穴、３９；円孔部、４０；テーパ孔部、４１；遮へい板、４２；連通孔、４３；流量調節弁装置、４４；弁座、４６，４７；透孔、５０；流量調節弁装置、５１；吐水口、５２；散水板、５４；回転板、５５；連通孔、５６；固定板、５７；連通孔。
【図１】
0004415336.tif 000002
【図２】
0004415336.tif 000003
【図３】
0004415336.tif 000004
【図４】
0004415336.tif 000005
【図５】
0004415336.tif 000006
【図６】
0004415336.tif 000007
【図７】
0004415336.tif 000008
【図８】
0004415336.tif 000009
【図９】
0004415336.tif 000010
【図１０】
0004415336.tif 000011
【図１１】
0004415336.tif 000012
【図１２】
0004415336.tif 000013